(57)【特許請求の範囲】
【請求項１】
歯科用チェアユニットの排水管終端部分に設けられた排水処理装置であって、
（１）、開閉電磁弁を介して排水管の吐出口に接続された導水口と、開閉電磁弁を介して外部の排出管に接続された吐出口及び、酸性水生成用電極を備えた滅菌用タンクと、
（２）、最初前記酸性水生成用電極の水没位置まで排水が注入されると同電極を通電して酸性水を生成し、以降排水が増加し吐出口からオーバーフローするまで通電を継続する電源部と、
（３）、オーバーフロー検知器又は、ｐＨセンサからのｐＨ測定値により電源部の通電量を制御するｐＨ制御系とを備えてなることを特徴とする歯科用チェアユニットの排水処理装置。
【請求項２】
前記滅菌用タンクが、直接排水を電気分解して酸性水を生成し、歯科用チェアユニットからの排水と酸性水とを混合して、排水内の病原菌を滅菌することを特徴とする請求項１に記載の歯科用チェアユニットの排水処理装置。
【発明の詳細な説明】
【０００１】
【発明の属する技術分野】
本発明は、歯科用チェアユニットの排水処理装置に係り、特に排水管の終端吐出口からの排水を、電解による酸性水を用いて殺菌処理し外部に放出する装置に関する。
【０００２】
【従来の技術】
従来、歯科用チェアユニットの排水処理は、歯科治療開始前又は終了後に殺菌水を水回路に導入し、全水回路の排水管内を清浄にする手段が提案されているが、治療中においては患者に対し殺菌水を使用することは規制されており、この間随時流される排水には患者の有害な病原菌等が混入しているおそれがあった。
また、 排水を外部の汚水処理場まで導き、そこで処理してから放出する手段も提案されているが実用上問題があった。
【０００３】
【発明が解決しようとしている課題】
上記のように、歯科の治療に際しては、患者の口腔内の唾液、血液、膿、痰、歯垢等の汚染源に含まれた有害な病原菌が、各種の排水内に混入されるおそれがあるが、単なるフィルタ等では除去できない。  また、排水を外部の汚水処理場まで導き処理してから放出するには、その施設を要するが、一般に歯科医院等は小規模であり実施は困難な場合が多かった。
従って、個々の歯科用チェアユニットの排水の吐出口において滅菌処理した後、外部に放出することが環境汚染問題上望まれている。
本発明は、以上の課題を解決する排水処理装置を提供する。
【０００４】
【課題を解決するための手段】
上記に鑑み本発明者等は鋭意実験研究の結果、下記の手段によりこの課題を解決した。
〔１〕歯科用チェアユニットの排水管終端部分に設けられた排水処理装置であって、（１）、開閉電磁弁を介して排水管の吐出口に接続された導水口と、開閉電磁弁を介して外部の排出管に接続された吐出口と、酸性水生成用電極を備えた滅菌用タンクと、
（２）、最初前記酸性水生成用電極の水没位置まで排水が注入されると同電極を通電して酸性水を生成し、以降排水が増加し吐出口からオーバーフローするまで通電を継続する電源部と、
（３）、オーバーフロー検知器又は、ｐＨセンサからのｐＨ測定値により電源部の通電量を制御するｐＨ制御系とを備えてなることを特徴とする歯科用チェアユニットの排水処理装置。
〔２〕前記滅菌用タンクが、直接排水を電気分解して酸性水を生成し、歯科用チェアユニットからの排水と酸性水とを混合して、排水内の病原菌を滅菌することを特徴とする〔１〕に記載の歯科用チェアユニットの排水処理装置。
【０００５】
【発明の実施の形態】
以下、図面に基づいて発明の実施の形態を説明する。
図１は排水処理装置を有する歯科用チェアユニットの平面図、
図２は排水処理装置を有する歯科用チェアユニットの正面図である。
図において、１は歯科用チェアユニット、２はチェア、３はフットスイッチ、４は補助テーブル、５はスピットン、６はライトアーム、７は水回路収納部、８は給・排水管設置部、９は排水処理装置収納部を示す。
排水処理装置は水回路収納部７の下部スペースに配設されている給・排水設置部８に接した後部の排水処理装置収納部９に配設されている。
なお、排水処理装置は歯科用チェアユニット１の近傍に配設してもよい。
【０００６】
図３は、排水処理装置の構成を示すブロック図である。
図において、１０は吸引方向、１１は吸引チューブ、１２はバキュームフィルタ、１３はバキュームタンク吸引方向、１４は吸引チューブ、１５は給気口、１６は合同排水、１７はバキュームタンク、１８はバキュームタンクの排水、１９、２０は排水管、２１はスピットンの排水、２２は排水トラップ、２３は排水管、２３ａは導水口、２４は排水一時貯留タンク、２５は貯留排水、２６は吐出口、２７は導水口、２８は滅菌用タンク、２９は排水・酸性水の混合液、２９ａは吐出口、３０は電源部、３０ａは電極用導線、３４は電極、３７は処理排水管、３８は外部排水管、４０ａ、４０ｂは開閉電磁弁、４１はｐＨセンサ、４１ａはｐＨ信号線、４２はｐＨ計、４３ａ、４３ｂは水位センサ、４４はｐＨ値調節指示部、４５は開閉電磁弁・電源制御部、４６はフィルタ、５１は水位信号線、５２は電源制御信号線を示す。
【０００７】
事例は、落差を利用した排水処理装置である。
図示したようにフィルタ４６を経由した合同排水１６が流れる排水管２３からの排水２５は、導水口２３ａから排水一時貯留タンク２４に貯留される。
そして、吐出口２６から開閉電磁弁４０ａを介して、次段の滅菌タンク２８の導入口２７より排水２５を注入する。
この滅菌タンク２８には酸性水を生成するための電解用電極３４が配設されており、排水２５が注入され水位センサ４３ａに達すると通電され、酸性水２９が生成されて排水２５に含まれた菌類は酸性水２９によって滅菌される。
そして吐出口２９ａから、開閉電磁弁４０ｂを介して処理排水管３７に接続された外部排水管３８に放出される。
【０００８】
上記、酸性水の適性値は、例えばｐＨ値５．０〜７．０、有効塩素濃度３０〜５０ｐｐｍを必要とする。
また、歯科用チェアユニットの１日（８時間）の排水量は、約１０リットルである。さらに排水は断続的に発生するが、１度の発生量は多くないので、酸性水の生成量は２リットル／分以下でよい。
そして、電解型の場合、陰極への付着物を軽減させるため、適時陰極と陽極とを切り替えて、電源を供給することが望ましい。
【０００９】
次に、合同排水１６を滅菌処理して放出する迄の順序について説明する。
前記各開閉電磁弁４０ａ、４０ｂは、滅菌用タンク２８が有する水位センサ４３ａ、４３ｂからの水位信号によって、電磁弁開閉制御部４５から制御され、又は滅菌用タンク２８内のｐＨ値によりｐＨ調節指示部４４と電磁弁開閉制御部４５経由電源部３０の通電量を調整するｐＨ調節系を有し、また、前記通電用電極３４及び電源部・電磁弁開閉制御部・ｐＨ制御系用の電源部３０を有し、各々に所要電源を供給している。
【００１０】
始業前、電磁弁４０ａ、４０ｂは閉じられており、また、一時排水貯留タンク２４及び滅菌用タンク２８は空の状態になっているものとする。
【００１１】
歯科診療が開始され、
▲１▼、最初に、開閉電磁弁４０ａを開き、排水２５を吐出口２６より滅菌用タンク２８の導水口２７より、水位が水位センサ４３ａに達するまで注入した後、閉じる。なお、この注入時間は排水量により不定であるが、排水は徐々に増加してゆく。
▲２▼、上記水位センサ４３ａの水位信号により電源部３０をＯＮにし、電極３４に所要時間通電し、酸性水２９を生成する。この酸性水２９により排水に含まれる菌は滅菌される。
▲３▼、次に、電源部３０をＯＦＦにし、開閉電磁弁４０ｂを開くと、排水は吐出口２９ａから処理排水管３７に接続された外部排水管３８に放出される。
また上記、放出している間は前記開閉電磁弁４０ａは閉じられ、その間の合同排水１６は一時貯留タンク２４に貯留される。
前記の放出時間は短いので、貯留排水が溢れることはない。
▲４▼、以上により滅菌用タンク２８は空になるので、開閉電磁弁４０ｂを水位センサ４３ｂの信号により閉じて、最初の状態に戻る。
このサイクルが一日数回繰り返される。
【００１２】
終業時には、一旦開閉電磁弁４０ａ、４０ｂを開にして、貯留排水２５、酸性水２９を放出した後、再び開閉電磁弁４０ａ、４０ｂを閉じて、次の始業時の準備をしておく。
以上で、始業〜終業までの排水処理の全工程が完了する。
この方式によれば、タンクは排水一時貯留タンクと滅菌用タンクのみでよく、簡便である。
【００１３】
図４は排水管より直接導入式の排水処理装置のブロック図である。
図４は、図３から排水一時貯留タンク２５を削除し、排水管の終端を直接滅菌用タンク２８に導入したもので、他は図３と同じである。
ただし、排水一時貯留タンクをなくしたため、滅菌用タンク２８の吐出口２９ａより処理水を放出する際に排水管末端の開閉電磁弁４０ａが閉じられた時、たまたま発生した排水が排水管内を逆流しないように排水管を長大にしておく等の処置を必要とする。
また、作用と作業工程は前項図３の事例と同様のため省略する。
【００１４】
図５は排水オーバーフロー方式の排水処理装置のブロック図である。
図において、５３は水位センサ、５４は流量センサ、５５は電源制御信号線、５７はオーバーフローの溢水口、５８は排水管を示す。
次に、上記排水オーバーフロー方式により、合同排水１６を滅菌処理して放出する迄の順序について説明する。
【００１５】
始業前、電磁弁４０ｂは閉じられており、また滅菌用タンク２８は空の状態なっているものとする。
【００１６】
歯科診療が開始され、
▲１▼、施術者が水回路を使用し、上記バキューム関連の水回路あるいはスピットン関連の水回路を使用し、その合同排水１６は排水管２３からフィルタ４６を通って吐出口２７より滅菌用タンク２８に注入される。
▲２▼、そして、次第に合同排水１６が増量し電極３４が隠れる位置に設置された水位センサ５３に達すると、その水位信号により電源部・開閉電磁弁制御部４５によって電源部３０をＯＮにし、電極に所要時間通電して酸性水２９を生成し排水中の菌を滅菌する。
▲３▼、上記の状態で排水１６が追加されオーバーフローの溢水口５７に達すると、溢れた排水１６は排水管５８より排水管３４経由、外部の排水管３８に放出される。
また、この排水管５８には流量センサ５４が配設されており、放出信号が検出されると検出信号線５５経由、電源部・開閉電磁弁制御部４５により、電源部３０より電極３４に通電する。
また、上記滅菌用酸性水２９の濃度の調節は、ｐＨ計４２の値によって電源部・開閉電磁弁制御部４５により電源部３０を制御し行ってもよい。
以降は、この状態が持続され、効率よく酸性水による滅菌処理することができる。
▲４▼、さらに、滅菌用タンク２８を清掃するため、底部に排水管を設け、底部からの放出を開閉電磁弁４０ｂを介して例えば、終業時のメインスイッチ６７のＯＦＦと同期して行ってもよい。
本方式によれば、排水を貯留して直接電解して滅菌処理水を生成し、また常時オーバーフローした処理水を外部に放出するため、排水路の開閉機構が簡便である。
以上が一日のサイクルである。
この方式によれば常時オーバーフローした処理水を外部に放出するため、排水路の開閉機構が簡便である。
【００１８】
【発明の効果】
１、歯科用チェアユニットの排水管終端部分に設けられた導水口が開閉電磁弁を介して排水管の吐出口に接続され、また吐出口が開閉電磁弁を介して外部の排出管に接続された、酸性水生成用電極を有する滅菌用タンクを配設し、最初前記酸性水生成用電極の水没位置まで排水が注入されると同電極を通電して酸性水を生成し、以降排水が増加し吐出口からオーバーフローするまで通電を継続する電源部と、同電源部をオーバーフロー検知器あるいは、ｐＨセンサからのｐＨ測定値により電源部の通電量を制御するｐＨ制御系を備えてなるため、
本方式によれば、排水を貯留して直接電解して滅菌処理水を生成し、また常時オーバーフローした処理水を外部に放出するため、排水路の開閉機構が簡便である。また、ユニット内の排水形式に関係なく、既製のどのチェアユニットにも適用でき、かつタンクは滅菌用タンクのみでよく、滅菌用酸性水の生成を的確に行うことができる。
２、滅菌用タンクが、直接排水を電気分解して酸性水を生成し、歯科用チェアユニットからの排水と酸性水とを混合して、排水内の病原菌を滅菌するため、処理が容易である。
【図面の簡単な説明】
【図１】排水処理装置を有する歯科用チェアユニットの平面図。
【図２】排水処理装置を有する歯科用チェアユニットの正面図。
【図３】排水処理装置の構成を示すブロック図。
【図４】排水管より直接導入式の排水処理装置のブロック図。
【図５】排水オーバーフロー方式の排水処理装置のブロック図。
【符号の説明】
１：歯科用チェアユニット                ２：チェア
３：フットスイッチ                      ４：補助テーブル
５：スピットン                          ６：ライトアーム
７：水回路収納部                        ８：給・排水管設置部
９：排水処理装置収納部                  １０：吸引方向
１１：吸引チューブ                      １２：バキュームフィルタ
１３：バキュームタンク吸引方向          １４：吸引チューブ
１５：給気口                            １６：合同排水
１７：バキュームタンク                  １８：バキュームタンクの排水
１９、２０：排水管                      ２１：スピットンの排水
２２：排水トラップ                      ２３：排水管
２３ａ：導水口                          ２４：排水一時貯留タンク
２５：貯留排水                          ２６：吐出口
２７：導水口                            ２８：滅菌用タンク
２８ａ：導水口                          ２９：酸性水
２９ａ：吐出口                          ３０：電源部
３０ａ：電極用導線                      ３４：電極
３７：処理排水管                        ３８：外部排水管
４０ａ、４０ｂ：開閉電磁弁              ４１：ｐＨセンサ
４１ａ：ｐＨ信号線                      ４２：ｐＨ計
４３ａ、４３ｂ：水位センサ              ４４：ｐＨ値調節指示部
４５：電磁弁開閉制御部                  ５１：水位信号線
５２：電源制御信号線                    ５３：水位センサ
５４：流量センサ                        ５５：電源制御信号線
５７：オーバーフローの溢水口            ５８：排水管
６７：メインスイッチ
【図１】
0004711032.tif 000002
【図２】
0004711032.tif 000003
【図３】
0004711032.tif 000004
【図４】
0004711032.tif 000005
【図５】
0004711032.tif 000006